(57)【要約】【課題】紙幣処理機のメンテナンス等を行う際、受渡し用搬送路を含む機構部を支障なく引き出すことができるようにする。【解決手段】紙幣補充回収機２及び施封小束支払機３に受渡し用搬送路１０及び１２をそれぞれ回転可能に設け、紙幣入出金機１と紙幣補充回収機２と施封小束支払機３の相互で紙幣の搬送を行わないときは受渡し用搬送路１０及び１２を紙幣補充回収機２及び施封小束支払機３内に収納できるようにした。【選択図】        図１
2004199360.tif 000002
【特許請求の範囲】
【請求項１】
複数の紙幣処理機を横方向に隣接して配列し、各紙幣処理機の搬送路を接続して、紙幣処理機間で紙幣を搬送する現金処理装置において、
隣接する紙幣処理機のうちの一方の紙幣処理機に、両紙幣処理機の紙幣搬送路を接続する受渡し用搬送路を回動可能に設けると共に、該受渡し用搬送路を縦の状態に保持したとき、該受渡し用搬送路を設けた紙幣処理機内に該受渡し用搬送路が収納されるようにしたことを特徴とする現金処理装置。
【請求項２】
請求項１において、
受渡し用搬送路を回動させて横の状態にしたとき、該受渡し用搬送路の一端が他端が該受渡し用搬送路を設けた紙幣処理機の紙幣搬送路の端部と対向し、他端が該紙幣処理機に隣接する紙幣処理機の紙幣搬送路の端部に対向して、両紙幣処理機の紙幣搬送路が接続するようにしたことを特徴とする現金処理装置。
【発明の詳細な説明】
【０００１】
【発明の属する技術分野】
本発明は、金融機関で用いられる現金処理装置に関するもので、特に紙幣入出金機、紙幣補充回収、及び施封小束支払機等の複数の紙幣処理機を備えた現金処理装置に関するものである。
【０００２】
【従来の技術】
銀行等の金融機関の営業店には、オペレータが顧客と接客して取引業務を行う窓口の後方等に処理能力の大きい現金処理装置が設置されている。
この現金処理装置は紙幣入出金機、紙幣補充回収機、施封小束支払機等を横方向に並べて配置した構造を持ち、オペレータ等の操作により各種の紙幣処理を行う機能を有している。
【０００３】
例えば、紙幣入出金機は、投入された紙幣の真偽，金種，正損等の鑑別を行って入金可能な紙幣を金種別に紙幣収納庫に収納する入金機能、及び紙幣収納庫から繰り出した紙幣の金種，正損等の鑑別を行って、出金可能な紙幣を支払う出金機能を有し、また、紙幣補充回収機は、営業店の自動化コーナーに設置される自動取引装置（ＡＴＭ）に対して紙幣の補充、回収を行うために使用される一括収納庫への紙幣の装填、自動取引装置から取り外した一括収納庫内に収納されている紙幣の自動計数等を行う機能を有している。
【０００４】
一方、施封小束支払機は紙幣を一定枚数毎に紙による帯で施封して小束にし、その紙幣の小束を払出し口から放出したり、小束を収納庫に収納して、オペレータの要求により収納庫から紙幣の小束を繰り出して払出し口から放出する機能を有している。
【０００５】
【発明が解決しようとする課題】
しかしながら上述した従来の技術では、以下の問題がある。
すなわち、紙幣入出金機、紙幣補充回収機、施封小束支払機等の各紙幣処理機は連結して配置されているが、実際には各々独立して紙幣の処理を行うものとなっているので、ある紙幣処理機内の現金を別の処理機に移して処理を行う場合、例えば紙幣入出金機内の紙幣を施封小束支払機に移して小束を作成する処理を行う場合、紙幣入出金機で紙幣を出金させ、その紙幣を施封小束支払機に投入する必要があるため、不便であった。
【０００６】
そこで、隣接する紙幣処理機の互いの紙幣搬送路を接続し、各紙幣処理機間で自動的に紙幣の受渡しを行えるようにすることが考えられており、この場合、紙幣処理機間でスムーズに紙幣の受渡しを行うためには、受渡し用搬送路を紙幣処理機間に跨がせる必要がある。
一方、紙幣入出金機、紙幣補充回収機、施封小束支払機等の各紙幣処理機は互いに隣接しており、またこれらの紙幣処理機の両側には、紙幣処理機と共に現金処理機を構成する棒金支払機や硬貨入出金機等が配置されるため、各紙幣処理機内のユニット化されている機構部は、メンテナンス等を行うために前後方向に引き出すように構成されているが、前記のように受渡し用搬送路が隣接する紙幣処理機間に跨がって設けられると、この受渡し用搬送路を含む機構部を前後方向に引き出せなくなるという問題がある。
【０００７】
本発明はこのような問題を解決することを課題としている。
【０００８】
【課題を解決するための手段】
そのため、本発明は、複数の紙幣処理機を横方向に隣接して配列し、各紙幣処理機の搬送路を接続して、紙幣処理機間で紙幣を搬送する現金処理装置において、隣接する紙幣処理機のうちの一方の紙幣処理機に、両紙幣処理機の紙幣搬送路を接続する受渡し用搬送路を回動可能に設けると共に、該受渡し用搬送路を縦の状態に保持したとき、該受渡し用搬送路を設けた紙幣処理機内に該受渡し用搬送路が収納されるようにしたことを特徴とする。
【０００９】
【発明の実施の形態】
以下、図面を参照して本発明による現金処理装置の実施の形態について説明する。
図１は実施の形態を示す正面図、図２は実施の形態における回転搬送路の斜視図、図３は実施の形態における紙幣搬送動作を示す斜視図、図４は実施の形態の外観を示す斜視図である。
【００１０】
まず、図４について説明すると、この図４に示したように、本発明による現金処理装置は、紙幣入出金機１、紙幣補充回収機２、施封小束支払機３、新券支払機４、棒金支払機５、硬貨入出金機６等の各現金処理機と、操作卓７、及び制御機８によって構成されている。
これら、紙幣入出金機１、紙幣補充回収機２、施封小束支払機３、棒金支払機５、硬貨入出金機６、及び制御機８は横一列に配列され、そして新券紙幣支払機４は紙幣補充回収機２上に、また操作卓７は紙幣入出金機１や施封小束支払機３や上にそれぞれ配置されている。
【００１１】
本実施の形態において、紙幣処理機である紙幣入出金機１、紙幣補充回収機２、及び施封小束支払機３は、紙幣の搬送路を連結させるために互いに隣接して配置する必要があり、この紙幣入出金機１、紙幣補充回収機２、及び施封小束支払機３をどのような順に並べるかは任意であるが、ここでは紙幣入出金機１と紙幣補充回収機２を間に挟んで紙幣入出金機１と施封小束支払機３が両隣に隣接するように配置している。
【００１２】
また、棒金支払機５や硬貨入出金機６、新券紙幣支払機４、操作卓７、及び制御機８は図示した配置に拘束されず、自由な配置が可能である。
紙幣入出金機は、紙幣投入口から投入された紙幣の真偽，金種，正損等の鑑別を行って入金可能な紙幣を金種別に紙幣収納庫に収納する入金機能、及び紙幣収納庫から繰り出した紙幣の金種，正損等の鑑別を行って、出金可能な紙幣を支払う出金機能を有している。
【００１３】
紙幣補充回収機は、営業店の自動化コーナーに設置される自動取引装置（ＡＴＭ）に対して紙幣の補充、回収を行うために使用される一括収納庫への紙幣の装填、自動取引装置から取り外した一括収納庫内に収納されている紙幣の自動計数等を行う機能を有している。
施封小束支払機３は、一定枚数の紙幣の小束を作成して、所定の収納庫に収納したり、払出したりする機能を有している。
【００１４】
新券紙幣支払機４は新券の金種判別を行って支払いを行うもので、棒金支払機５は棒状に纏めた一定枚数の硬貨を支払うものであり、また、硬貨入出金機６は硬貨の鑑別、計数を行って入出金を行う機能を有している。
操作卓７は、ＬＣＤ（液晶表示装置）等による表示部とキー入力部を備えており、オペレータが現金処理装置で現金の処理を行う際、表示部で操作誘導を行ったり、キー入力部で入力された情報を表示するもので、キー入力部は表示部と独立させてキーボードや、表示部上に設けられるタッチパネルが用られる。
【００１５】
制御機８は現金処理装置全体の動作制御を行うもので、装置全体の現金の管理も行うものとなっている。
次に、図１及び図２の構成について説明する。
図１において１０は紙幣補充回収機２に設けられた受渡し用搬送路である。
この受渡し用搬送路１０は、複数のプーリに巻き掛けられて支持された無端状のベルトの外周にローラ等を対向接触させるとにより構成され、歯付きプーリの少なくとも１つを図示しないモータにより回転させることでベルトを循環駆動して、ベルトとローラ等との間に挟持した紙幣を搬送できるようになっている。
【００１６】
また、この受渡し用搬送路１０は図示しないブラケットに支持されていて、このブラケットの所定の位置、すなわち受渡し用搬送路１０の一端側の位置に設けられた支点を中心として９０度回動するようになっている。
これにより受渡し用搬送路１０は、紙幣入出金機１と紙幣補充回収機２との間で紙幣を搬送しないときは縦向きに保持され、紙幣補充回収機２内に収納された状態で待機し、紙幣入出金機１と紙幣補充回収機２との間で紙幣を搬送するときは、図示しないモータ等を駆動源としてブラケットと共に回動して横向きの状態となり、その一端が紙幣補充回収機２内で紙幣を搬送する紙幣搬送路１３の端部と対向すると共に、他端は紙幣補充回収機２から突出し、隣接する紙幣入出金機１の紙幣搬送路１１の端部と接近して対向するようになっている。
【００１７】
この受渡し用搬送路１０と同様の受渡し搬送路１２が施封小束支払機３にも設けられており、紙幣補充回収機２との間で紙幣を搬送するとき、ブラケットに設けられた支点を中心に受渡し用搬送路１２は回動して、その一端が施封小束支払機３内で紙幣を搬送する紙幣搬送路１４の端部と対向すると共に、他端は施封小束支払機３から突出し、隣接する紙幣補充回収機２の紙幣搬送路１３の端部と接近して対向するようになっている。
【００１８】
１５、１６、１７は紙幣入出金機１、紙幣補充回収機２、及び施封小束支払機にそれぞれ設けられた回転搬送路である。
一般に、紙幣入出金機１、紙幣補充回収機２、施封小束支払機３は、前後方向に紙幣Ｐを搬送するようになっており、そのため紙幣入出金機１、紙幣補充回収機２、施封小束支払機３の隣接方向である横方向に紙幣を搬送する場合、前後方向に対して紙幣を横方向に９０度変化させることが必要になる。
【００１９】
回転搬送路１５、１６、１７は、このように前後方向に対して紙幣を横方向に９０度変化させるためのもので、紙幣入出金機１の回転搬送路１５を例にして図２を参照して説明する。
紙幣入出金機１内には、紙幣Ｐを挟持する２組の平行な無端ベルト及び該ベルトを支持するプーリ等により構成される紙幣搬送路１１と、同様のベルト及びローラ等により構成される紙幣搬送路１８が、紙幣Ｐの搬送方向が同じで２組のベルトの位置が互いに９０度ずれるように配置され、その中間に回転搬送路１５が配置されている。
【００２０】
この回転搬送路１５は、ローラによって支持された一対の無端ベルトから成り紙幣Ｐの搬送方向を軸して、その軸回り方向に９０度紙幣を回転させるように前記一対の無端ベルトを中央部で９０度捻ったものとなっている。
ここで紙幣搬送路１１は紙幣入出金機１に隣接する紙幣補充回収機２の方向つまり横方向に搬送するものであり、また紙幣搬送路１８は紙幣を紙幣入出金機１内で前後方向に搬送するもので、紙幣搬送路１８から送られてきた紙幣Ｐは回転搬送路１５により９０度捻って紙幣搬送路１１に送り込むことができ、逆に紙幣搬送路１１から送られてきた紙幣Ｐは回転搬送路１４により９０度捻って紙幣搬送路１８に送り込むことが可能である。
【００２１】
次に、上述した構成の作用について図１及び図３を参照して説明する。
例えば、紙幣入出金機１内に設けられた紙幣収納庫に収納されている紙幣Ｐを紙幣補充回収機２に装着された一括収納庫に回収する場合、制御機８の制御によりブラケットの支点を中心に受渡し用搬送路１０が回転して、その一端が紙幣搬送路１３の端部と対向し、他端は紙幣補充回収機２から突出して紙幣入出金機１の紙幣搬送路１１の端部と対向するよう保持される。
【００２２】
この状態で紙幣入出金機１の紙幣収納庫から紙幣が１枚ずつ繰り出されて、紙幣搬送路１８により回転搬送路１５に搬送される。
そして紙幣Ｐはこの回転搬送路１５により９０度捻られて紙幣搬送路１１に送り込まれ、この紙幣搬送路１１により紙幣Ｐは受渡し用搬送路１０に渡されて紙幣補充回収機２内に搬送される。
【００２３】
紙幣補充回収機２に入った紙幣Ｐは、受渡し用搬送路１０から紙幣搬送路１３を経て回転搬送路１６に搬送され、回転搬送路１６により９０度捻られてから一括収納庫に送られて収納される。
このようにして紙幣入出金機１内に設けられた紙幣収納庫の紙幣Ｐは紙幣補充回収機２に一枚ずつ搬送され、一括収納庫に回収され。
【００２４】
紙幣入出金機１から紙幣補充回収機２への搬送が終了すると、受渡し用搬送路１０は前記と逆の方向に回転して紙幣補充回収機２内に収納され、縦の状態に保持されて待機する。
また、紙幣補充回収機２に装着した一括収納庫内の紙幣Ｐを紙幣入出金機１に搬送して各紙幣収納庫に紙幣を装填する場合も、受渡し用搬送路１０が回転され、その一端が紙幣搬送路１３と対向し、他端が紙幣補充回収機２から突出さして紙幣入出金機１の紙幣搬送路１１の端部対向するよう保持される。
【００２５】
そして、後前記と逆の経路で紙幣Ｐが搬送され、搬送終了後、受渡し用搬送路１０は紙幣補充回収機２内に収納されて待機する。
紙幣入出金機１内に設けられた紙幣収納庫に収納されている紙幣Ｐを施封小束支払機３に送って小束を作成する処理を行う場合は、受渡し用搬送路１０が回転して、その一端が紙幣搬送路１３と対向し、他端が紙幣補充回収機２から突出して紙幣入出金機１の紙幣搬送路１１の端部と対向するよう保持されると共に、施封小束支払機３に設けられた受渡し用搬送路１２が回転して、その一端が紙幣搬送路１４と対向し、他端が施封小束支払機３から突出して紙幣補充回収機２の紙幣搬送路１３の端部と対向するよう保持される。
【００２６】
この状態で紙幣入出金機１の紙幣収納庫から紙幣Ｐが１枚ずつ繰り出され、紙幣搬送路１８、回転搬送路１５、紙幣搬送路１１、受渡し用搬送路１０、紙幣搬送路１３、受渡し用搬送路１２を経て施封小束支払機３内に搬送され、紙幣搬送路１４、回転搬送路１７を経て所定の集積部に集積された後、小束が作成される。
【００２７】
搬送終了後、受渡し用搬送路１０は紙幣補充回収機２内に収納されて待機し、受渡し用搬送路１２は施封小束支払機３内に収納されて待機する。
更に、紙幣補充回収機２に装着した一括収納庫内の紙幣Ｐを施封小束支払機３に搬送して小束を作成を装填する場合は、受渡し用搬送路１２が回転され、その一端が紙幣搬送路１４と対向し、他端が施封小束支払機３から突出して紙幣補充回収機２の紙幣搬送路１３の端部と接近して対向するよう保持される。
【００２８】
そして、一括収納庫から繰り出された紙幣Ｐが回転搬送路１６、紙幣搬送路１３、受渡し用搬送路１２、経て施封小束支払機３内に搬送され、紙幣搬送路１４、回転搬送路１７を経て所定の集積部に集積された後、小束が作成される。
搬送終了後、受渡し用搬送路１２は施封小束支払機３内に収納されて待機状態に保持される。
【００２９】
紙幣補充回収機２及び施封小束支払機３のメンテナンス等を行うために、ユニット化されている機構部を前後方向に引き出す場合、受渡し用搬送路１０及び１２は待機状態にあるとき、紙幣補充回収機２及び施封小束支払機３から突出することなく縦状態に保持されているので、この受渡し用搬送路１０及び１２を含む機構部は支障なく紙幣補充回収機２及び施封小束支払機３から引き出すことができ、メンテナンス等の終了後も元の位置に押し戻すことが可能となる。
【００３０】
尚、上述した実施の形態では、紙幣補充回収機２と施封小束支払機３に受渡し用搬送路１０と１２をそれぞれ設けた構成としたが、受渡し用搬送路１０を紙幣入出金機１に設け、受渡し用搬送路１２を紙幣補充回収機２に設けても、上述した実施の形態と同様の動作が可能であり、また受渡し用搬送路１０と１２の両方紙幣補充回収機２に設けても同様である。
【００３１】
【発明の効果】
以上説明したように本発明は、複数の紙幣処理機を横方向に隣接して配列し、各紙幣処理機の搬送路を接続して、紙幣処理機間で紙幣を搬送する現金処理装置において、隣接する紙幣処理機のうちの一方の紙幣処理機に、両紙幣処理機の紙幣搬送路を接続する受渡し用搬送路を回動可能に設けると共に、該受渡し用搬送路を縦の状態に保持したとき、該受渡し用搬送路を設けた紙幣処理機内に該受渡し用搬送路が収納されるようにしている。
【００３２】
従ってこれによれば、紙幣処理機のメンテナンス等を行うために、ユニット化されている機構部を前後方向に引き出す場合、受渡し用搬送路を紙幣処理機内に収納できるので、この受渡し用搬送路を含む機構部を支障なく紙幣処理機から引き出すことができ、メンテナンス等の終了後も元の位置に押し戻すことが可能に成るという効果が得られる。
【図面の簡単な説明】
【図１】実施の形態を示す正面図
【図２】実施の形態における回転搬送路の斜視図
【図３】実施の形態における紙幣搬送動作を示す斜視図
【図４】実施の形態の外観を示す斜視図
【符号の説明】
１  紙幣入出金機
２  紙幣補充回収機
３  施封小束支払機
７  操作卓
８  制御機
１０，１２  受渡し用搬送路
１１〜１４  紙幣搬送路
１５〜１７  回転搬送路
【図１】
2004199360.tif 000003
【図２】
2004199360.tif 000004
【図３】
2004199360.tif 000005
【図４】
2004199360.tif 000006